(57)【要約】【課題】利用者の操作にかかる手間を軽減しながら利用者が所望する診療に係る入力画面の表示を実現する。【解決手段】診療における診療情報の入力を支援する診療情報入力支援装置１００−１において、診療に係る複数の入力画面を管理する入力画面管理部１２０と、当該診療情報入力支援装置１００−１の位置を特定する位置特定部１１０と、位置特定部１１０で特定された診療情報入力支援装置１００−１の位置に基づいて入力画面管理部１２０で管理する複数の入力画面の中から１つの入力画面を入力／表示部１０３に表示する制御を行う入力／表示制御部１０４を備える。【選択図】図２
2014199530.tif 000002
【特許請求の範囲】
【請求項１】
診療における診療情報の入力を支援する診療情報入力支援装置であって、
前記診療に係る複数の入力画面を管理する入力画面管理手段と、
当該診療情報入力支援装置の位置を特定する位置特定手段と、
前記位置特定手段で特定された位置に基づいて、前記複数の入力画面の中から１つの入力画面を表示部に表示する制御を行う表示制御手段と
を有することを特徴とする診療情報入力支援装置。
【請求項２】
当該診療情報入力支援装置の利用者を特定する利用者特定手段を更に有し、
前記表示制御手段は、前記位置特定手段で特定された位置および前記利用者特定手段で特定された利用者に基づいて、前記複数の入力画面の中から１つの入力画面を前記表示部に表示する制御を行うことを特徴とする請求項１に記載の診療情報入力支援装置。
【請求項３】
当該診療情報入力支援装置が移動中であるか否かを判定する移動判定手段を更に有し、
前記移動判定手段において当該診療情報入力支援装置が移動中でないと判定された場合に、前記表示制御手段は前記１つの入力画面を前記表示部に表示する制御を行うことを特徴とする請求項１または２に記載の診療情報入力支援装置。
【請求項４】
前記入力画面管理手段は、前記診療に係る複数の入力画面に加えて前記診療情報に係る複数の入力内容候補を管理する、或いは、前記診療に係る複数の入力画面として前記複数の入力内容候補を管理するものであり、
前記表示制御手段は、前記複数の入力画面の中から１つの入力画面を前記表示部に表示する制御を行うとともに前記複数の入力内容候補の中から１つの入力内容候補を前記表示部に表示する制御を行うことを特徴とする請求項１乃至３のいずれか１項に記載の診療情報入力支援装置。
【請求項５】
前記位置特定手段は、グローバル・ポジショニング・システム（ＧＰＳ）を用いて、当該診療情報入力支援装置の位置を特定することを特徴とする請求項１乃至４のいずれか１項に記載の診療情報入力支援装置。
【請求項６】
前記位置特定手段は、病院内に設置された通信装置との通信によって、当該診療情報入力支援装置の位置を特定することを特徴とする請求項１乃至４のいずれか１項に記載の診療情報入力支援装置。
【請求項７】
当該診療情報入力支援装置の各利用者は、それぞれ、前記診療情報を入力するための、独自の信号発信機能を持つ入力手段を所持しており、
前記利用者特定手段は、前記入力手段から発信された信号に基づいて、当該診療情報入力支援装置の利用者を特定することを特徴とする請求項２に記載の診療情報入力支援装置。
【請求項８】
前記表示部に表示された入力画面を介して入力された診療情報を病院内情報システムで管理する診療情報管理手段を更に有することを特徴とする請求項１乃至７のいずれか１項に記載の診療情報入力支援装置。
【請求項９】
診療に係る複数の入力画面を管理する入力画面管理手段を備え、前記診療における診療情報の入力を支援する診療情報入力支援装置による診療情報入力支援方法であって、
前記診療情報入力支援装置の位置を特定する位置特定ステップと、
前記位置特定ステップで特定された位置に基づいて、前記複数の入力画面の中から１つの入力画面を表示部に表示する制御を行う表示制御ステップと
を有することを特徴とする診療情報入力支援方法。
【請求項１０】
診療に係る複数の入力画面を管理する入力画面管理手段を備え、前記診療における診療情報の入力を支援する診療情報入力支援装置による診療情報入力支援方法をコンピュータに実行させるためのプログラムであって、
前記診療情報入力支援装置の位置を特定する位置特定ステップと、
前記位置特定ステップで特定された位置に基づいて、前記複数の入力画面の中から１つの入力画面を表示部に表示する制御を行う表示制御ステップと
をコンピュータに実行させるためのプログラム。
【発明の詳細な説明】
【技術分野】
【０００１】
本発明は、診療における診療情報の入力を支援する診療情報入力支援装置及び診療情報入力支援方法、並びに、当該診療情報入力支援方法をコンピュータに実行させるためのプログラムに関する。
【背景技術】
【０００２】
従来、病院などの医療現場では、患者の容態や治療過程を記録するため、所定フォーマットの紙カルテが使われていた。しかしながら、診療情報の紙カルテへの記載において、その保管場所の確保や、人手による転記作業、また、検索の困難性等が指摘され、紙カルテの電子化が進んでいる。
【０００３】
紙カルテの電子化によって、診療情報の一元管理や共有が実現される。それによって、従来のような手書きによる診療情報の重複記入の手間が省け、転記ミスを減少させることができる。また、大量のデータの中から必要な診療情報の検索が簡単にでき、紙カルテの保存スペース問題も改善することができる。
【０００４】
しかしながら、この紙カルテの電子化においても、便利な機能に複雑な仕様による操作が伴うものであるため、医師にとって、診療中に複雑な入力画面における入力作業はかなりの負担であり、この入力負担は、思考の障害となり、慣れるまで時間を要する。そのため、限られている診療時間の中で、医師が入力操作に集中してしまい、患者とのコミュニケーションが疎かになって、肝心な情報を聞き逃すこともある。
【０００５】
そこで、電子カルテの操作性を向上させるために、入力及び表示画面に関する種々の提案がなされている（例えば、下記の特許文献１、特許文献２を参照）。
【０００６】
例えば、下記の特許文献１には、医師が使い慣れた紙カルテのフォーマット画像を光学読み取りにより取得し、取得したカルテ用紙のフォーマット画像に治療データを入力する技術が開示されている。
【０００７】
また、下記の特許文献２には、入力領域を、主観情報、客観情報及び評価情報を表示する第１副領域と、計画情報を表示する第２副領域とに分割し、第１及び第２副領域を入力領域内で横方向に並んで配置する技術が開示されている。この技術を用いることで、紙カルテ用紙と同様に診療情報を直感的に入力することが可能となる。
【先行技術文献】
【特許文献】
【０００８】
【特許文献１】特開２００３−１９６３９０号公報
【特許文献２】特開２００５−３１６９７０号公報
【発明の概要】
【発明が解決しようとする課題】
【０００９】
しかしながら、病院での診察や治療は、その専門分野が区分されたそれぞれの診療科で行われていて、診療科によって診療情報の記述内容も異なるため、使用するカルテ様式も異なる。
【００１０】
特許文献１に記載された技術では、多種のカルテ用紙のフォーマット画像が用意されるが、医師等の利用者は、使う際に必要となるフォーマット画像をリストの中から選択しなければならず、手間がかかるものである。
【００１１】
また、特許文献２に記載された技術では、各診療科において基本となる入力画面は共通設計になっているため、各診療科の専門性に合った診療情報の入力は困難である。
【００１２】
本発明は、このような問題点に鑑みてなされたものであり、従来に比べて少ない操作で、利用者が所望する診療に係る入力画面を表示可能とすることを目的とする。
【課題を解決するための手段】
【００１３】
本発明の診療情報入力支援装置は、診療における診療情報の入力を支援する診療情報入力支援装置であって、前記診療に係る複数の入力画面を管理する入力画面管理手段と、当該診療情報入力支援装置の位置を特定する位置特定手段と、前記位置特定手段で特定された位置に基づいて、前記複数の入力画面の中から１つの入力画面を表示部に表示する制御を行う表示制御手段とを有する。
また、本発明は、上述した診療情報入力支援装置による診療情報入力支援方法、及び、当該診療情報入力支援方法をコンピュータに実行させるためのプログラムを含む。
【発明の効果】
【００１４】
本発明によれば、利用者の操作にかかる手間を軽減しながら利用者が所望する診療に係る入力画面を表示することができる。
【図面の簡単な説明】
【００１５】
【図１】本発明の第１の実施形態に係る診療情報入力支援装置のハードウェア構成の一例を示すブロック図である。
【図２】本発明の第１の実施形態に係る診療情報入力支援装置の機能構成の一例を示すブロック図である。
【図３】本発明の第１の実施形態に係る診療情報入力支援装置による診療情報入力支援方法の処理手順の一例を示すフローチャートである。
【図４】図３のステップＳ１２０における詳細な処理手順の一例を示すフローチャートである。
【図５】本発明の第１の実施形態を示し、図２に示す入力画面管理部で管理する、入力画面管理用のテーブルと入力画面のデータベースの一例を示す模式図である。
【図６】図２に示す診療情報管理部の内部構成の一例を示すブロック図である。
【図７】本発明の第２の実施形態に係る診療情報入力支援システムの概略構成の一例を示す模式図である。
【図８】本発明の第３の実施形態に係る診療情報入力支援装置による診療情報入力支援方法の処理手順の一例を示すフローチャートである。
【図９】図８のステップＳ３２０における詳細な処理手順の一例を示すフローチャートである。
【図１０】本発明の第３の実施形態を示し、図２に示す入力画面管理部で管理する、入力内容候補管理用のテーブルと入力内容候補のデータベースの一例を示す模式図である。
【図１１】本発明の第４の実施形態に係る診療情報入力支援装置の機能構成の一例を示すブロック図である。
【図１２】本発明の第４の実施形態に係る診療情報入力支援装置による診療情報入力支援方法の処理手順の一例を示すフローチャートである。
【図１３】本発明の第５の実施形態に係る診療情報入力支援装置の機能構成の一例を示すブロック図である。
【図１４】本発明の第５の実施形態に係る診療情報入力支援装置による診療情報入力支援方法の処理手順の一例を示すフローチャートである。
【発明を実施するための形態】
【００１６】
以下に、図面を参照しながら、本発明を実施するための形態（実施形態）について説明する。なお、以下に示す本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【００１７】
（第１の実施形態）
まず、本発明の第１の実施形態について説明する。
【００１８】
図１は、本発明の第１の実施形態に係る診療情報入力支援装置のハードウェア構成の一例を示すブロック図である。
図１に示すように、診療情報入力支援装置１００は、ＣＰＵ１０１、バス１０２、入力／表示部１０３、入力／表示制御部１０４、印刷部１０５、内部メモリ１０６、外部メモリ１０７、及び、通信部１０８の各ハードウェア構成を有している。ここで、診療情報入力支援装置１００は、診療における診療情報の入力を支援する装置であって、例えば、携帯型情報端末装置で形成されている。
【００１９】
ＣＰＵ１０１は、中央処理装置（Central Processing Unit）であり、バス１０２を介して接続された各ハードウェア構成（１０３〜１０８）を制御することにより、診療情報入力支援装置１００における動作を統括的に制御する。
【００２０】
バス１０２は、各種の情報の転送経路となる通信バスであり、ＣＰＵ１０１、入力／表示部１０３、入力／表示制御部１０４、印刷部１０５、内部メモリ１０６、外部メモリ１０７及び通信部１０８を相互に通信可能に接続する。
【００２１】
入力／表示部１０３は、例えば、入力装置と表示装置とが一体化形成された液晶ペンタブレットである。この場合、入力部はペン形状をしたペンタブレットポインタであり、表示部は液晶ディスプレイ画面であり、利用者は、入力部による操作、或いは、表示部に直接触れることにより、文字や動作指示を入力することができる。
【００２２】
入力／表示制御部１０４は、ＣＰＵ１０１による制御に基づいて、入力／表示部１０３の制御を行う。例えば、入力／表示制御部１０４は、ＣＰＵ１０１による制御に基づいて、入力／表示部１０３に表示される入力画面の表示の切り替えや、入力内容候補の表示の切り替え等を行う。
【００２３】
印刷部１０５は、ＣＰＵ１０１による制御に基づいて、選択された情報の印刷処理を行う。
【００２４】
内部メモリ１０６は、ＣＰＵ１０１の主メモリやワークエリア等として機能する他、ＣＰＵ１０１で実行される制御プラグラム等を格納する。
【００２５】
外部メモリ１０７は、例えば、ハードディスク、メモリカード、ＣＦカード、ＳＤカード、ＵＳＢメモリ等の、各種の情報を記憶する記憶装置である。
【００２６】
通信部１０８は、当該診療情報入力支援装置１００と外部装置との通信を司るものである。
【００２７】
診療情報入力支援装置１００は、入力／表示制御部１０４等からの各種のイベントに応じて作動するものである。例えば、入力／表示制御部１０４等からＣＰＵ１０１にインタラプト信号が供給されると、それに伴ってイベントが発生し、当該イベントに応じて、ＣＰＵ１０１は、内部メモリ１０６に記憶されている各種のプログラムを読み出して実行することによって、各種の制御が行われる。
【００２８】
次に、本実施形態に係る診療情報入力支援装置１００の機能構成について説明する。
図２は、本発明の第１の実施形態に係る診療情報入力支援装置の機能構成の一例を示すブロック図である。ここで、図２に示された、本実施形態に係る診療情報入力支援装置を、「診療情報入力支援装置１００−１」と称する。また、図２において、図１に示す構成と同様の構成には、同じ符号を付している。
図２に示すように、診療情報入力支援装置１００−１は、位置特定部１１０、入力画面管理部１２０、入力画面設定部１３０、診療情報管理部１４０、入力／表示部１０３、及び、入力／表示制御部１０４の各機能構成を有している。
【００２９】
位置特定部１１０は、当該診療情報入力支援装置１００−１の位置を特定する処理を行う。例えば、本実施形態では、位置特定部１１０は、公知の人工衛星による現在地の測位技術であるグローバル・ポジショニング・システム（ＧＰＳ）を用いて、当該診療情報入力支援装置１００−１の位置を特定する処理を行う。
【００３０】
入力画面管理部１２０は、医師等の利用者が行い得る診療に係る複数の入力画面を管理する。
【００３１】
入力画面設定部１３０は、位置特定部１１０で特定された当該診療情報入力支援装置１００−１の位置に基づいて、入力画面管理部１２０で管理している複数の入力画面の中から１つの入力画面を設定する処理を行う。言い換えれば、入力画面設定部１３０は、診療情報入力支援装置１００−１の位置に基づいて、入力画面管理部１２０で管理している複数の入力画面の中から１つの入力画面を選択する。
【００３２】
入力／表示制御部１０４は、入力画面設定部１３０で設定された（１つの）入力画面を入力／表示部１０３に表示する制御等を行う。
【００３３】
診療情報管理部１４０は、入力／表示部１０３に表示された入力画面を介して入力された診療情報を病院内情報システム等で管理する処理を行う。なお、診療情報管理部１４０は、入力／表示部１０３に表示された入力画面を介して入力された診療情報を入力画面管理部１２０に送信し、入力画面管理部１２０において、必要に応じて、当該診療情報を該当する入力画面に反映されるようにしてもよい。
【００３４】
ここで、図１に示す診療情報入力支援装置１００のハードウェア構成と、図２に示す診療情報入力支援装置１００−１の機能構成との対応関係の一例について以下に示す。
例えば、図１に示すＣＰＵ１０１及び内部メモリ１０６に記憶されているプログラム、並びに、通信部１０８から、図２に示す位置特定部１１０が構成される。また、例えば、図１に示すＣＰＵ１０１及び内部メモリ１０６に記憶されているプログラム、並びに、外部メモリ１０７から、図２に示す入力画面管理部１２０が構成される。また、例えば、図１に示すＣＰＵ１０１及び内部メモリ１０６に記憶されているプログラムから、図２に示す入力画面設定部１３０が構成される。また、例えば、図１に示すＣＰＵ１０１及び内部メモリ１０６に記憶されているプログラム、外部メモリ１０７、並びに、通信部１０８から、図２に示す診療情報管理部１４０が構成される。
【００３５】
なお、上述した例は、図１に示すＣＰＵ１０１が内部メモリ１０６に記憶されているプログラムを実行することにより、図２に示す位置特定部１１０や入力画面管理部１２０、入力画面設定部１３０、診療情報管理部１４０等の手段として機能する例を示している。しかしながら、本発明においては、この形態に限定されるものではなく、例えば、ＣＰＵ１０１と協調して動作するＡＳＩＣ等の制御回路がこれらの手段として機能してもよい。また、ＣＰＵ１０１と制御回路との協調によって、これらの手段が実現されてもよい。また、ＣＰＵ１０１は、単一のものである必要はなく、複数であってもよい。この場合、複数のＣＰＵは分散して処理を実行する。また、複数のＣＰＵは、単一のコンピュータに配置されていてもよいし、物理的に異なる複数のコンピュータに配置されていてもよい。なお、図２に示す位置特定部１１０や入力画面管理部１２０、入力画面設定部１３０、診療情報管理部１４０等の手段が専用の回路等によって実現される形態であってもよい。
【００３６】
次に、本実施形態に係る診療情報入力支援装置１００による診療情報入力支援方法の処理手順について説明する。
図３は、本発明の第１の実施形態に係る診療情報入力支援装置による診療情報入力支援方法の処理手順の一例を示すフローチャートである。この図３のフローチャートの説明においては、図２に示す診療情報入力支援装置１００−１の各構成を用いた説明を行う。
【００３７】
まず、ステップＳ１１０において、診療情報入力支援装置１００−１の位置特定部１１０は、当該診療情報入力支援装置１００−１の位置を特定する処理を行う。ここで、本実施形態においては、位置特定部１１０は、公知の人工衛星による現在地の測位技術であるグローバル・ポジショニング・システム（ＧＰＳ）を用いて、当該診療情報入力支援装置１００−１の位置を特定する処理を行う。
【００３８】
続いて、ステップＳ１２０において、診療情報入力支援装置１００−１の入力画面設定部１３０は、ステップＳ１１０で特定された当該診療情報入力支援装置１００−１の位置に基づいて、入力画面管理部１２０で管理している複数の入力画面（入力初期画面）の中から１つの入力画面（入力初期画面）を設定する処理を行う。
【００３９】
その後、診療情報入力支援装置１００−１の入力／表示制御部１０４は、入力画面設定部１３０で設定された入力画面（入力初期画面）を入力／表示部１０３に表示する制御を行う。これにより、入力／表示部１０３には、入力画面設定部１３０で設定された入力画面（入力初期画面）が表示される。
【００４０】
続いて、ステップＳ１３０において、診療情報入力支援装置１００−１の入力／表示制御部１０４は、医師等の利用者が入力／表示部１０３に表示された入力画面を介して入力した診療情報を、診療情報管理部１４０に入力する処理を行う。
【００４１】
続いて、ステップＳ１４０において、診療情報入力支援装置１００−１の診療情報管理部１４０は、ステップＳ１３０で入力された診療情報を管理する処理を行う。その後、図３に示すフローチャートの処理を終了する。
【００４２】
次に、図３のステップＳ１２０における詳細な処理手順について説明する。
図４は、図３のステップＳ１２０における詳細な処理手順の一例を示すフローチャートである。また、図５は、図２に示す入力画面管理部１２０で管理する、入力画面管理用のテーブルと入力画面のデータベースの一例を示す模式図である。なお、図４のフローチャートの説明においては、図５に示す入力画面管理用のテーブルと入力画面のデータベースを用いた説明を行う。これらのテーブル及びデータベースは、例えば内部メモリ１０６または外部メモリ１０７に記憶されている。なお、これらのテーブル及びデータベースを記憶するために内部メモリ１０６及び外部メモリ１０７にテーブルを用いることとしてもよい。また、例えば、内部メモリ１０６にテーブルを記憶させ、外部メモリ１０７にデータベースを記憶させることとしてもよい。
【００４３】
まず、図５の説明を行う。
入力画面管理用のテーブルは、図５に示すように、例えば診療場面管理テーブル１２０１、並びに、入力画面管理テーブル１２０２及び１２０３の３つのテーブルからなる。
具体的に、診療場面管理テーブル１２０１は、当該診療情報入力支援装置の位置に係る位置ＩＤ、その位置情報、及び、診療場面に係る診療場面ＩＤを関連付けて記録する。
入力画面管理テーブル１２０２は、診療場面に係る診療場面ＩＤ、その診療場面情報、及び、入力画面に係る入力画面ＩＤを関連付けて記録する。
入力画面管理テーブル１２０３は、入力画面に係る入力画面ＩＤと、当該入力画面とを関連付けて記録する。
また、入力画面データベース１２０４は、入力画面管理テーブル１２０３の「入力画面」に対応した複数の入力画面を記憶して保存している。即ち、入力画面データベース１２０４には、医師等の利用者が行い得る診療に係る複数の入力画面が保存されている。
【００４４】
次いで、図５を用いながら、図４に示すフローチャートの説明を行う。
【００４５】
まず、図４のステップＳ１２１において、入力画面設定部１３０は、図５の診療場面管理テーブル１２０１を参照し、ステップＳ１１０で特定された診療情報入力支援装置の位置に係る位置情報に基づいて、診療場面ＩＤを取得する処理を行う。
具体的に、図５に示す例では、ステップＳ１１０で特定された診療情報入力支援装置の位置に係る位置情報として「（東経）Ｅ１３９：４６：２７、（北緯）Ｎ３５：４０：２３」が得られ、診療場面ＩＤとして「０１」が取得された例を示している。なお、本実施形態では位置情報を東経及び北緯を使って表しているが、本発明においてはこれに限定されるものではなく、位置を示す情報であれば他の情報を用いてもよい。また、診療場面管理テーブル１２０１に含まれる位置情報は所定位置における情報を示しているが、本発明においてはこれに限定されるものではなく、所定範囲を示す情報であってもよい。
【００４６】
続いて、図４のステップＳ１２２において、入力画面設定部１３０は、図５の入力画面管理テーブル１２０２を参照し、ステップＳ１２１で取得した診療場面ＩＤに基づいて、入力画面ＩＤを取得する処理を行う。
具体的に、図５に示す例では、ステップＳ１２１で取得された診療場面ＩＤ＝０１に基づいて、入力画面ＩＤとして「０１」が取得された例を示している。
【００４７】
続いて、図４のステップＳ１２３において、入力画面設定部１３０は、図５の入力画面管理テーブル１２０３を参照し、ステップＳ１２２で取得した入力画面ＩＤに基づいて、入力画面を特定し、入力画面データベース１２０４に保存されている複数の入力画面（入力初期画面）の中から当該特定した入力画面（入力初期画面）を設定する処理を行う。
具体的に、図５に示す例では、ステップＳ１２２で取得された入力画面ＩＤ＝０１に基づいて、「整形外科診察用入力画面」が特定され、入力画面データベース１２０４に保存されている複数の入力画面（入力初期画面）の中から当該特定された「整形外科診察用入力画面」が設定された例を示している。
その後、入力／表示制御部１０４によって、入力画面設定部１３０で設定された「整形外科診察用入力画面」が入力／表示部１０３に表示される。
【００４８】
以上の図４のステップＳ１２１〜Ｓ１２３の処理を経ることにより、図３のステップＳ１２０における処理がなされる。
【００４９】
次に、図２に示す診療情報管理部１４０について説明する。
図６は、図２に示す診療情報管理部の内部構成の一例を示すブロック図である。
【００５０】
図６に示すように、診療情報管理部１４０は、診療情報入力部１４０１、ＡＰＩ部１４０２、及び、病院内情報システム部１４０３を備えて構成されている。
【００５１】
診療情報入力部１４０１は、入力／表示制御部１０４から送られた診療情報を、当該診療情報管理部１４０の内部に入力する処理を行う。
【００５２】
病院内情報システム部１４０３は、病院で使われている電子カルテシステム１４０３１や、医療用画像管理システム（ＰＡＣＳ）１４０３２を含むものである。
【００５３】
ＡＰＩ部１４０２は、診療情報入力部１４０１で入力した診療情報を病院内情報システム部１４０３へ追加する処理を行い、また、診療情報入力部１４０１に必要な情報を病院内情報システム部１４０３から検索する処理や、一覧表示する処理、必要な診療情報を伝送する処理などを行うための中間層である。
【００５４】
第１の実施形態に係る診療情報入力支援装置では、当該診療情報入力支援装置の位置を特定し、当該特定した位置に基づいて複数の入力画面の中から１つの入力画面を設定し、当該設定した入力画面を表示部に表示するようにしている。
かかる構成によれば、多種多様な診療場面においても、各診療場面に相応しい入力画面を自動的に表示することができる。即ち、従来に比べて少ない操作で利用者が所望する診療に係る入力画面を表示することができる。これによって、利用者がその都度、診療に係る入力画面を選択する手間を省くことができるため、診療情報の入力作業の効率を向上させることができる。
【００５５】
（第２の実施形態）
次に、本発明の第２の実施形態について説明する。
【００５６】
上述した第１の実施形態では、人工衛星による現在地の測位技術であるＧＰＳを用いることによって、利用者が使用中の診療情報入力支援装置の位置を特定し、当該特定した位置に基づいて入力画面を設定して表示するものであった。本実施形態は、ＧＰＳ以外の位置特定技術を用いるものである。
【００５７】
図７は、本発明の第２の実施形態に係る診療情報入力支援システムの概略構成の一例を示す模式図である。
図７に示すように、診療情報入力支援システム１０は、診療情報入力支援装置１００と、病院内に設置される通信装置２００を備えて構成されている。
【００５８】
ここで、本実施形態に係る診療情報入力支援装置１００のハードウェア構成は、図１に示す第１の実施形態に係る診療情報入力支援装置１００のハードウェア構成と同様である。また、本実施形態に係る診療情報入力支援装置１００の機能構成は、図２に示す第１の実施形態に係る診療情報入力支援装置１００−１の機能構成と同様である。
【００５９】
本実施形態に係る診療情報入力支援装置１００は、携帯型情報端末装置で形成されている。また、通信装置２００は、病院内の所定の箇所に配置されている。
【００６０】
図７に示すように、診療情報入力支援装置１００には、通信装置２００と通信を行うための通信部１０８が設けられている。例えば、通信部１０８（位置特定部１１０）は、通信装置２００と赤外線通信を行うことによって、診療情報入力支援装置１００の位置（例えば、病院内のどの診療科に居るのか）を特定する。図７に示す例では、診療科として、整形外科、耳鼻咽喉科、内科、検査室、リハビリ室、及び、病棟が示されている。
より具体的に説明すると、通信装置２００は、場所に応じて異なるＩＤを有している。診療情報入力支援装置１００は、通信装置２００と通信することで通信装置２００が有するＩＤを取得する。そして、診療情報入力支援装置１００は、取得したＩＤに基づいて現在の位置を特定する。通信装置２００のＩＤを用いた位置の特定方法としては、通信装置２００のＩＤと位置とを関連付けたテーブルを内部メモリ１０６または外部メモリ１０７に記録し、診療情報入力支援装置１００は、このテーブルに基づいて現在位置を特定する。なお、上記の例は一例であり、通信装置２００との通信により現在位置を特定できる方法であれば他の方法であってもよい。
【００６１】
上述した例では、通信部１０８と通信装置２００とが赤外線通信を行う場合を例に挙げて説明を行ったが、本実施形態においてはこれに限定されるものではない。例えば、赤外線通信の他、可視光を用いた通信や、超音波を用いた通信であってもよい。また、病院内に無線ビーコンなどの位置測定方法を採用してもよい。
【００６２】
即ち、本実施形態では、位置特定部１１０は、病院内に設置された通信装置２００との通信によって、診療情報入力支援装置１００の位置を特定する処理を行う。
【００６３】
第２の実施形態によれば、ＧＰＳによる位置測位が難しい場合、例えば、ビルなどのように立体的に使用場所が配置されている場合でも、通信装置２００を装備することによって、診療情報入力支援装置の位置を高精度に特定することができる。これにより、多種多様な診療場面においても、各診療場面に相応しい入力画面を自動的に表示することができる。即ち、従来に比べて少ない操作で利用者が所望する診療に係る入力画面を表示することができる。
【００６４】
（第３の実施形態）
次に、本発明の第３の実施形態について説明する。
【００６５】
上述した第１及び第２の実施形態では、利用者の診療情報入力支援装置の使用位置を特定し、当該特定した使用位置に基づいて入力画面を設定してするものであった。本実施形態では、特定した診療情報入力支援装置の使用位置に基づいて、入力画面の設定に加えて、当該入力画面の一部に表示するための入力内容候補の設定も行うものである。ここで、入力内容候補としては、例えば、診療情報入力時の予測変換の候補やシェーマ画像候補などが挙げられる。なお、以下の説明では、入力内容候補としてシェーマ画像候補を適用した例について説明を行う。
【００６６】
ここで、本実施形態に係る診療情報入力支援装置１００のハードウェア構成は、図１に示す第１の実施形態に係る診療情報入力支援装置１００のハードウェア構成と同様である。また、本実施形態に係る診療情報入力支援装置１００の機能構成は、図２に示す第１の実施形態に係る診療情報入力支援装置１００−１の機能構成と同様である。
【００６７】
次に、本実施形態に係る診療情報入力支援装置１００による診療情報入力支援方法の処理手順について説明する。
図８は、本発明の第３の実施形態に係る診療情報入力支援装置による診療情報入力支援方法の処理手順の一例を示すフローチャートである。この図８のフローチャートの説明においては、図２に示す診療情報入力支援装置１００−１の各構成を用いた説明を行う。なお、図８のフローチャートの処理を行うのに際しては、予め、入力画面管理部１２０は、診療に係る複数の入力画面に加えて診療情報に係る複数の入力内容候補を管理しているものとする。
【００６８】
まず、ステップＳ３１０において、診療情報入力支援装置１００−１の位置特定部１１０は、当該診療情報入力支援装置１００−１の位置を特定する処理を行う。ここで、本実施形態においては、ステップＳ３１０の位置特定処理は、第１の実施形態のようにＧＰＳを用いて行うようにしてもよいし、第２の実施形態のように通信装置２００を設置して当該通信装置２００と通信を行うことによってなされるようにしてもよい。
【００６９】
続いて、ステップＳ３２０において、診療情報入力支援装置１００−１の入力画面設定部１３０は、ステップＳ３１０で特定された当該診療情報入力支援装置１００−１の位置に基づいて、第１及び第２の実施形態のように入力画面管理部１２０で管理している複数の入力画面（入力初期画面）の中から１つの入力画面（入力初期画面）を設定することに加えて、更に、入力画面管理部１２０で管理している複数の入力内容候補の中から１つの入力内容候補を設定する処理を行う。
【００７０】
その後、診療情報入力支援装置１００−１の入力／表示制御部１０４は、入力画面設定部１３０で設定された入力画面（入力初期画面）及びその一部に表示するための入力内容候補を入力／表示部１０３に表示する制御を行う。これにより、入力／表示部１０３には、入力画面設定部１３０で設定された入力内容候補を一部に含む入力画面（入力初期画面）が表示される。
【００７１】
続いて、ステップＳ３３０において、診療情報入力支援装置１００−１の入力／表示制御部１０４は、医師等の利用者が入力／表示部１０３に表示された入力画面（一部に入力内容候補を含む）を介して入力した診療情報を、診療情報管理部１４０に入力する処理を行う。
【００７２】
続いて、ステップＳ３４０において、診療情報入力支援装置１００−１の診療情報管理部１４０は、ステップＳ３３０で入力された診療情報を管理する処理を行う。その後、図８に示すフローチャートの処理を終了する。
【００７３】
次に、図８のステップＳ３２０における詳細な処理手順について説明する。
図９は、図８のステップＳ３２０における詳細な処理手順の一例を示すフローチャートである。なお、図９に示すフローチャートでは、図８のステップＳ３２０における処理のうち、入力内容候補の設定処理の部分のみを示している（即ち、入力画面（入力初期画面）の設定については示していない）。
【００７４】
また、図１０は、本発明の第３の実施形態を示し、図２に示す入力画面管理部１２０で管理する、入力内容候補管理用のテーブルと入力内容候補のデータベースの一例を示す模式図である。ここで、図１０において、図５に示す構成と同様の構成については同じ符号を付している。なお、本実施形態においては、図２に示す入力画面管理部１２０は、図１０に示すテーブル及びデータベースに加えて、図５に示すテーブル及びデータベースも管理しているものとする。
【００７５】
なお、図９のフローチャートの説明においては、図１０に示す入力内容候補管理用のテーブルと入力内容候補のデータベースを用いた説明を行う。
【００７６】
まず、図１０の説明を行う。
入力内容候補管理用のテーブルは、図１０に示すように、診療場面管理テーブル１２０１、並びに、入力内容候補管理テーブル１２０５及び１２０６の３つのテーブルからなる。なお、診療場面管理テーブル１２０１は、図５に示すものと同様のものであり、図２に示す入力画面管理部１２０は、１つの診療場面管理テーブル１２０１を管理している。
具体的に、診療場面管理テーブル１２０１は、当該診療情報入力支援装置の位置に係る位置ＩＤ、その位置情報、及び、診療場面に係る診療場面ＩＤを関連付けて記録する。
入力内容候補管理テーブル１２０５は、診療場面に係る診療場面ＩＤ、その診療場面情報、及び、診療情報に係る入力内容候補における入力提示内容ＩＤ（入力内容候補ＩＤ）を関連付けて記録する。
入力内容候補管理テーブル１２０６は、診療情報に係る入力内容候補における入力提示内容ＩＤ（入力内容候補ＩＤ）と、その入力提示内容辞書（入力内容候補辞書）とを関連付けて記録する。
また、入力内容候補データベース１２０７は、入力内容候補管理テーブル１２０６の「入力提示内容辞書（入力内容候補辞書）」に対応した複数の入力提示内容辞書（入力内容候補辞書）を記憶して保存している。即ち、入力内容候補データベース１２０７には、医師等の利用者が行い得る診療における診療情報に係る複数の入力内容候補が保存されている。具体的には、図１０に示す例では、入力内容候補として、シェーマ画像候補を適用した例が示されている。なお、図１０に示す例では、入力内容候補として、各診療科に係るシェーマ画像候補を適用した例が示されているが、例えば、入力内容候補として、各診療科に係る診療情報入力時の予測変換の候補を適用することも可能である。
【００７７】
次いで、図１０を用いながら、図９に示すフローチャートの説明を行う。
【００７８】
まず、図９のステップＳ３２１において、入力画面設定部１３０は、図１０の診療場面管理テーブル１２０１を参照し、ステップＳ３１０で特定された診療情報入力支援装置の位置に係る位置情報に基づいて、診療場面ＩＤを取得する処理を行う。
具体的に、図１０に示す例では、ステップＳ３１０で特定された診療情報入力支援装置の位置に係る位置情報として「（東経）Ｅ１３９：４６：２７、（北緯）Ｎ３５：４０：２４」が得られ、診療場面ＩＤとして「０２」が取得された例を示している。
【００７９】
続いて、図９のステップＳ３２２において、入力画面設定部１３０は、図１０の入力内容候補管理テーブル１２０５を参照し、ステップＳ３２１で取得した診療場面ＩＤに基づいて、入力提示内容ＩＤ（入力内容候補ＩＤ）を取得する処理を行う。
具体的に、図１０に示す例では、ステップＳ３２１で取得された診療場面ＩＤ＝０２に基づいて、入力提示内容ＩＤ（入力内容候補ＩＤ）として「０２」が取得された例を示している。
【００８０】
続いて、図９のステップＳ３２３において、入力画面設定部１３０は、図１０の入力内容候補管理テーブル１２０６を参照し、ステップＳ３２２で取得した入力提示内容ＩＤ（入力内容候補ＩＤ）に基づいて、入力提示内容辞書（入力内容候補辞書）を特定し、入力内容候補データベース１２０７に保存されている複数の入力提示内容辞書（入力内容候補辞書）の中から当該特定した入力提示内容辞書（入力内容候補辞書）を設定する処理を行う。
具体的に、図１０に示す例では、ステップＳ３２２で取得された入力提示内容ＩＤ（入力内容候補ＩＤ）＝０２に基づいて、「耳鼻咽喉科診察用提示内容辞書」が特定され、入力内容候補管理テーブル１２０６に保存されている複数の入力提示内容辞書（入力内容候補辞書）の中から当該特定された「耳鼻咽喉科診察用提示内容辞書」が設定された例を示している。
その後、入力／表示制御部１０４によって、入力画面設定部１３０で設定された「耳鼻咽喉科診察用提示内容辞書」の内容を一部に含む耳鼻咽喉科診察用入力画面が入力／表示部１０３に表示される。即ち、本例では、耳鼻咽喉科診察用入力画面の一部の領域に、入力画面設定部１３０で設定された「耳鼻咽喉科診察用提示内容辞書」の内容が表示されることになる。この際、例えば、図１０の入力内容候補データベース１２０７に保存されている「耳鼻咽喉科診察用提示内容辞書」に含まれる４つのシェーマ図のうち、全てのシェーマ図を入力画面に表示して、医師等の利用者が、入力画面に表示されたシェーマ図の中から診療に適したシェーマ図を選択できるようにしてもよいし、また、例えば、代表的な１つのシェーマ図のみを入力画面に表示して、他のシェーマ図は例えばプルダウンメニューで選択できるようにしてもよい。なお、ここでは、入力内容候補としてシェーマ画像候補を適用した例で説明を行ったが、例えば、入力内容候補として診療情報入力時の予測変換の候補を適用することも可能である。例えば、この診療情報入力時の予測変換の候補としては、本例では、耳鼻咽喉科で用いる病名の候補が例として挙げられる。そして、この耳鼻咽喉科で用いる病名の候補を入力画面に表示する場合には、その候補の全てを入力画面に表示して選択できるようにしても、プルダウンメニューで表示して選択できるようにしてもよい。
【００８１】
以上の図９のステップＳ３２１〜Ｓ３２３の処理を経ることにより、図８のステップＳ３２０における処理（具体的には、入力内容候補の設定処理）がなされる。
【００８２】
第３の実施形態によれば、各診療場面に相応しい入力内容候補を一部に含む入力画面を自動的に表示することができる。
【００８３】
なお、上述した第３の実施形態では、特定された診療情報入力支援装置の使用位置に基づいて、入力画面の設定に加えて、当該入力画面の一部に表示するための入力内容候補の設定を行うものであったが、本発明においては、この形態に限定されるものではない。
例えば、入力画面として入力内容候補を設定する形態も本発明に含まれる。即ち、上述した例の場合、入力画面設定部１３０で設定された「耳鼻咽喉科診察用提示内容辞書」の内容が、入力画面の全体に１画面として表示されることになる。また、この場合、入力画面管理部１２０は、診療に係る複数の入力画面として上述した複数の入力内容候補を管理し、入力画面設定部１３０は、入力／表示部１０３に表示する入力画面として前記複数の入力内容候補の中から１つの入力内容候補を設定し、入力／表示制御部１０４は、入力画面設定部１３０で設定された１つの入力内容候補（上述した例では「耳鼻咽喉科診察用提示内容辞書」）の内容を入力／表示部１０３に１画面表示する形態を採る。
この際、例えば、図１０の入力内容候補データベース１２０７に保存されている「耳鼻咽喉科診察用提示内容辞書」が入力内容候補として設定された場合、「耳鼻咽喉科診察用提示内容辞書」に含まれる４つのシェーマ図のうち、全てのシェーマ図を入力画面に表示して、医師等の利用者が、入力画面に表示されたシェーマ図の中から診療に適したシェーマ図を選択できるようにしてもよいし、また、例えば、代表的な１つのシェーマ図のみを入力画面に表示して、他のシェーマ図は例えばプルダウンメニューで選択できるようにしてもよい。その後、医師等の利用者が入力画面を介して１つのシェーマ図を選択すると、例えば、選択されたシェーマ図が電子カルテ等に反映される形態を採り得る。
【００８４】
（第４の実施形態）
次に、本発明の第４の実施形態について説明する。
【００８５】
上述した第１〜第３の実施形態では、入力／表示部１０３に表示する入力画面を設定する際に、診療情報入力支援装置の位置のみを考慮したものであった。本実施形態は、診療情報入力支援装置の位置に加えてその利用者も考慮して、入力／表示部１０３に表示する入力画面を設定するものである。即ち、本実施形態は、診療情報入力支援装置を複数の利用者が利用することを想定した実施形態である。
【００８６】
ここで、本実施形態に係る診療情報入力支援装置１００のハードウェア構成は、図１に示す第１の実施形態に係る診療情報入力支援装置１００のハードウェア構成と同様である。
【００８７】
次に、本実施形態に係る診療情報入力支援装置１００の機能構成について説明する。
図１１は、本発明の第４の実施形態に係る診療情報入力支援装置の機能構成の一例を示すブロック図である。ここで、図１１に示された、本実施形態に係る診療情報入力支援装置を、「診療情報入力支援装置１００−４」と称する。また、図１１において、図２に示す第１の実施形態に係る診療情報入力支援装置１００−１の機能構成と同様の構成には、同じ符号を付しており、その説明は省略する。
図１１に示すように、診療情報入力支援装置１００−４は、利用者特定部４１０、位置特定部１１０、入力画面管理部１２０、入力画面設定部１３０、診療情報管理部１４０、入力／表示部１０３、及び、入力／表示制御部１０４の各機能構成を有している。即ち、第４の実施形態に係る診療情報入力支援装置１００−４の機能構成は、図２に示す第１の実施形態に係る診療情報入力支援装置１００−１の機能構成に対して、利用者特定部４１０を追加した構成となっている。
【００８８】
利用者特定部４１０は、診療情報入力支援装置１００−４の利用者を特定する処理を行う。具体的に、本実施形態では、診療情報入力支援装置１００−４の各利用者は、それぞれ、診療情報を入力するための、独自の信号発信機能を持つ入力ペン（入力手段）を所持しているものとする。そして、本実施形態では、利用者特定部４１０は、診療情報入力支援装置１００−４の実際の利用者が所持している入力ペン（入力手段）から発信された信号に基づいて、当該利用者を特定する。
【００８９】
ここで、例えば、図１に示すＣＰＵ１０１及び内部メモリ１０６に記憶されているプログラム、並びに、通信部１０８から、図１１に示す利用者特定部４１０が構成される。
【００９０】
そして、本実施形態における入力画面設定部１３０は、位置特定部１１０で特定された位置に加えて利用者特定部４１０で特定された利用者に基づいて、入力画面管理部１２０で管理している複数の入力画面の中から１つの入力画面を設定する処理を行う。
【００９１】
次に、本実施形態に係る診療情報入力支援装置１００による診療情報入力支援方法の処理手順について説明する。
図１２は、本発明の第４の実施形態に係る診療情報入力支援装置による診療情報入力支援方法の処理手順の一例を示すフローチャートである。この図１２のフローチャートの説明においては、図１１に示す診療情報入力支援装置１００−４の各構成を用いた説明を行う。
【００９２】
まず、ステップＳ４１０において、診療情報入力支援装置１００−４の利用者特定部４１０は、当該診療情報入力支援装置１００−４の利用者を特定する処理を行う。具体的には、上述したように、診療情報入力支援装置１００−４の各利用者は、それぞれ、診療情報を入力するための、独自の信号発信機能を持つ入力ペン（入力手段）を所持しているものとする。そして、本実施形態では、利用者特定部４１０は、診療情報入力支援装置１００−４の実際の利用者が所持している入力ペン（入力手段）から発信された信号に基づいて、当該利用者を特定する。
【００９３】
続いて、ステップＳ４２０において、診療情報入力支援装置１００−４の位置特定部１１０は、当該診療情報入力支援装置１００−１の位置を特定する処理を行う。ここで、本実施形態においては、ステップＳ４１０の位置特定処理は、第１の実施形態のようにＧＰＳを用いて行うようにしてもよいし、第２の実施形態のように通信装置２００を設置して当該通信装置２００と通信を行うことによってなされるようにしてもよい。
【００９４】
続いて、ステップＳ４３０において、診療情報入力支援装置１００−４の入力画面設定部１３０は、ステップＳ４２０で特定された位置及びステップＳ４１０で特定された利用者に基づいて、入力画面管理部１２０で管理している複数の入力画面（入力初期画面）の中から１つの入力画面（入力初期画面）を設定する処理を行う。
【００９５】
その後、診療情報入力支援装置１００−４の入力／表示制御部１０４は、入力画面設定部１３０で設定された入力画面（入力初期画面）を入力／表示部１０３に表示する制御を行う。これにより、入力／表示部１０３には、入力画面設定部１３０で設定された入力画面（入力初期画面）が表示される。
【００９６】
続いて、ステップＳ４４０において、診療情報入力支援装置１００−４の入力／表示制御部１０４は、医師等の利用者が入力／表示部１０３に表示された入力画面を介して入力した診療情報を、診療情報管理部１４０に入力する処理を行う。
【００９７】
続いて、ステップＳ４５０において、診療情報入力支援装置１００−４の診療情報管理部１４０は、ステップＳ４４０で入力された診療情報を管理する処理を行う。その後、図１２に示すフローチャートの処理を終了する。
【００９８】
なお、上述した例では、診療情報入力支援装置１００−４の各利用者が独自の信号発信機能を持つ入力ペンを所持し、当該入力ペンから発信された信号に基づいて利用者を特定するようにしているが、本実施形態ではこれに限定されるものではない。例えば、診療情報入力支援装置１００−４の各利用者が独自の信号発信機能を持つバッチを所持し、当該バッチから発信された信号に基づいて利用者を特定するようにしてもよい。
【００９９】
第４の実施形態によれば、診療情報入力支援装置の利用者を固定することなく、複数の利用者による利用を可能とすることができる。これにより、多種多様な診療場面においても、各診療場面により相応しい入力画面を自動的に表示することができる。例えば、略同様の位置において医師が使用する入力画面と看護師等が使用する入力画面とが異なる場合においても、利用者に適した入力画面を表示することが可能となる。即ち、従来に比べて少ない操作で利用者が所望する診療に係る入力画面を表示することができる。これによって、利用者がその都度、診療に係る入力画面を選択する手間を省くことができるため、診療情報の入力作業の効率を向上させることができる。
【０１００】
（第５の実施形態）
次に、本発明の第５の実施形態について説明する。
【０１０１】
上述した第１〜第４の実施形態では、例えば携帯型情報端末装置で形成される診療情報入力支援装置が移動中であるか否かにかかわらず、入力画面の設定及び表示を行うものであった。本実施形態では、診療情報入力支援装置が移動中であるか否かを判断（判定）し、診療情報入力支援装置が移動中でない（停止している）場合に、入力画面の設定及び表示を行うものである。
【０１０２】
ここで、本実施形態に係る診療情報入力支援装置１００のハードウェア構成は、図１に示す第１の実施形態に係る診療情報入力支援装置１００のハードウェア構成と同様である。
【０１０３】
次に、本実施形態に係る診療情報入力支援装置１００の機能構成について説明する。
図１３は、本発明の第５の実施形態に係る診療情報入力支援装置の機能構成の一例を示すブロック図である。ここで、図１３に示された、本実施形態に係る診療情報入力支援装置を、「診療情報入力支援装置１００−５」と称する。また、図１３において、図２に示す第１の実施形態に係る診療情報入力支援装置１００−１の機能構成と同様の構成には、同じ符号を付しており、その説明は省略する。
図１３に示すように、診療情報入力支援装置１００−５は、移動判定部５１０、位置特定部１１０、入力画面管理部１２０、入力画面設定部１３０、診療情報管理部１４０、入力／表示部１０３、及び、入力／表示制御部１０４の各機能構成を有している。即ち、第５の実施形態に係る診療情報入力支援装置１００−５の機能構成は、図２に示す第１の実施形態に係る診療情報入力支援装置１００−１の機能構成に対して、移動判定部５１０を追加した構成となっている。
【０１０４】
移動判定部５１０は、当該診療情報入力支援装置１００−５が移動中であるか否かを判定する処理を行う。この移動判定部５１０による判定処理は、第１の実施形態における位置特定処理で用いたＧＰＳ技術を用いて行うようにしてもよいし、第２の実施形態における位置特定処理で用いた通信装置２００との通信技術を用いて行うようにしてもよい。
【０１０５】
ここで、例えば、図１に示すＣＰＵ１０１及び内部メモリ１０６に記憶されているプログラム、並びに、通信部１０８から、図１３に示す移動判定部５１０が構成される。
【０１０６】
そして、本実施形態では、移動判定部５１０において診療情報入力支援装置１００−５が移動中でないと判定された場合に、位置特定部１１０の処理、入力画面設定部１３０の処理、入力／表示制御部１０４の処理、及び、診療情報管理部１４０の処理を行う。
【０１０７】
次に、本実施形態に係る診療情報入力支援装置１００による診療情報入力支援方法の処理手順について説明する。
図１４は、本発明の第５の実施形態に係る診療情報入力支援装置による診療情報入力支援方法の処理手順の一例を示すフローチャートである。この図１４のフローチャートの説明においては、図１３に示す診療情報入力支援装置１００−５の各構成を用いた説明を行う。
【０１０８】
まず、ステップＳ５１０において、診療情報入力支援装置１００−５の移動判定部５１０は、当該診療情報入力支援装置１００−５が移動中であるか否かを判断（判定）する。この移動判定部５１０による判定処理は、上述したように、第１の実施形態における位置特定処理で用いたＧＰＳ技術を用いて行うようにしてもよいし、第２の実施形態における位置特定処理で用いた通信装置２００との通信技術を用いて行うようにしてもよい。
【０１０９】
ステップＳ５１０の判断の結果、診療情報入力支援装置１００−５が移動中である場合には、ステップＳ５１０で待機する。
【０１１０】
一方、ステップＳ５１０の判断の結果、診療情報入力支援装置１００−５が移動中でない（停止している）場合には、ステップＳ５２０に進む。
【０１１１】
ステップＳ５２０に進むと、診療情報入力支援装置１００−５の位置特定部１１０は、当該診療情報入力支援装置１００−１の位置を特定する処理を行う。ここで、本実施形態においては、ステップＳ５１０の位置特定処理は、第１の実施形態のようにＧＰＳを用いて行うようにしてもよいし、第２の実施形態のように通信装置２００を設置して当該通信装置２００と通信を行うことによってなされるようにしてもよい。
【０１１２】
続いて、ステップＳ５３０において、診療情報入力支援装置１００−５の入力画面設定部１３０は、ステップＳ５２０で特定された当該診療情報入力支援装置１００−５の位置に基づいて、入力画面管理部１２０で管理している複数の入力画面（入力初期画面）の中から１つの入力画面（入力初期画面）を設定する処理を行う。
【０１１３】
その後、診療情報入力支援装置１００−５の入力／表示制御部１０４は、入力画面設定部１３０で設定された入力画面（入力初期画面）を入力／表示部１０３に表示する制御を行う。これにより、入力／表示部１０３には、入力画面設定部１３０で設定された入力画面（入力初期画面）が表示される。
【０１１４】
続いて、ステップＳ５４０において、診療情報入力支援装置１００−５の入力／表示制御部１０４は、医師等の利用者が入力／表示部１０３に表示された入力画面を介して入力した診療情報を、診療情報管理部１４０に入力する処理を行う。
【０１１５】
続いて、ステップＳ５５０において、診療情報入力支援装置１００−５の診療情報管理部１４０は、ステップＳ５４０で入力された診療情報を管理する処理を行う。その後、図１４に示すフローチャートの処理を終了する。
【０１１６】
なお、上述した例では、移動後の診療情報入力支援装置１００−５の位置に応じて入力画面を設定して表示するものであるが、移動前の診療情報入力支援装置１００−５の位置に応じた入力画面と、移動後の位置に応じた入力画面とを切り替えて表示してもよい。
【０１１７】
第５の実施形態によれば、診療情報入力支援装置が移動中の場合には、入力画面の設定及び表示を行わないようにしたので、入力画面の不安定な切り替え表示を抑制することができる。
【０１１８】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
このプログラム及び当該プログラムを記憶したコンピュータ読み取り可能な記録媒体は、本発明に含まれる。
【符号の説明】
【０１１９】
１００−１  診療情報入力支援装置、１０３  入力／表示部、１０４  入力／表示制御部、１１０  位置特定部、１２０  入力画面管理部、１３０  入力画面設定部、１４０  診療情報管理部
【図１】
2014199530.tif 000003
【図２】
2014199530.tif 000004
【図３】
2014199530.tif 000005
【図４】
2014199530.tif 000006
【図５】
2014199530.tif 000007
【図６】
2014199530.tif 000008
【図７】
2014199530.tif 000009
【図８】
2014199530.tif 000010
【図９】
2014199530.tif 000011
【図１０】
2014199530.tif 000012
【図１１】
2014199530.tif 000013
【図１２】
2014199530.tif 000014
【図１３】
2014199530.tif 000015
【図１４】
2014199530.tif 000016